(57)【要約】【課題】使用される各部品の形状、構造を特定化して、軽量化を図り、吊り足場用パネルの製造工程や施工工程を単純化する事によって、施工工程並びに施工時間を短縮化すると共に、製造工程や施工工程の効率化を図る事が出来る吊り足場用パネルを提供する。【解決手段】、足場基底部２と手摺部４とチェ−ン８とを含み、相互に平行に配置された親管１０と、それと直交する方向で、配置されるコロバシ管１１と、当該親管１０と当該コロバシ管１１とにより形成された格子状の当該足場基底部２の基板面１２上に配置されている底板部１３とから構成された吊り足場用パネル１。【選択図】図１
2015004213.tif 000002
【特許請求の範囲】
【請求項１】
吊り足場用パネルであって、当該吊り足場用パネルは、矩形状の平面を形成する足場基底部と、少なくとも当該足場基底部の相互に対向する２つの辺部に配置されている手摺部と当該足場基底部の少なくとも一部と当該吊り足場用パネルの上部空間部に於いて、橋脚、梁、鉄骨、壁面等に固定的に設けられている鎖止部との間に張設されて、当該足場基底部を所望の空中部位に保持する為の親チェ−ンとを含み、且つ、当該足場基底部は、当該複数個の吊り足場用パネル同士が長尺状に相互に連結されて吊り足場回廊を形成するに際しての当該連結方向に沿って相互に平行に配置される複数本の親管と、当該親管の当該配列方向と直交する方向で、相互に平行に配置される複数個のコロバシ管と、当該親管と当該コロバシ管とにより形成された格子状の当該足場基底部の基板部上に当該親管の配列方向と同一方向に相互に平行に（要すれば相互に隣接して）配置されている複数枚の当該配列方向に長尺軸を有する矩形状平面部からなる底板部とから構成されており、更に、当該親管には、当該親管の長尺軸方向に沿って、複数個の第１の凹陥部が形成されており、又、当該コロバシ管には、当該コロバシ管の長尺軸方向に沿って、当該第１の凹陥部と嵌合し得る第２の凹陥部が設けられており、且つ、当該親管に於ける当該第１の凹陥部が形成されている表面を除く表面部に、当該親管の長尺軸方向に沿って、当該チェーンの一端部が係合される複数個の親管吊ピースが設けられている事を特徴とする吊り足場用パネル。
【請求項２】
当該親管の少なくとも一方の長尺方向端部には、隣接して連結される他の吊り足場用パネルに於ける当該親管の一方の長尺方向端部と嵌合する親さや管が着脱自在に或いは固定的に取り付けられている特徴とする請求項１に記載の吊り足場用パネル。
【請求項３】
当該コロバシ管の少なくとも一方の長尺方向端部には、隣接して連結される他の吊り足場用パネルに於ける当該コロバシ管の一方の長尺方向端部と嵌合するコロバシさや管が着脱自在に或いは固定的に取り付けられている特徴とする請求項１又は２に記載の吊り足場用パネル。
【請求項４】
当該底板部は、当該親管の上には配置されない様に構成されている事を特徴とする請求項１乃至３の何れかに記載の吊り足場用パネル。
【請求項５】
当該底板部に於ける、長尺軸方向端部の少なくとも一方の端部には、隣接して連結される他の吊り足場用パネルに於ける当該底板部に於ける、長尺軸方向端部の少なくとも一方の端部と接合しうる底板継ピースが設けられており、更には、当該底板部に於ける、長尺軸方向端部の少なくとも他方の端部には、隣接して連結される他の吊り足場用パネルに於ける当該底板部に於ける、当該底板継ピースと係合しうる当該底板継ピース受部が設けられている事を特徴とする請求項１乃至４の何れかに記載の吊り足場用パネル。
【請求項６】
当該親管吊ピースには、更に、当該第１の吊り足場用パネル上で組み立てられている、当該１の吊り足場用パネルに対して隣接配置される第２の吊り足場用パネル用の足場基底部の仮組立枠体を、当該第２の吊り足場用パネルの隣接配置方向にむけて、或いはその反対方向にむけて、移動させる為に使用される索条体（親チェーン或いはロープ等）の一端部が係合出来る索条体係合部が併設されている特徴とする請求項１乃至５の何れかに記載の吊り足場用パネル。
【請求項７】
当該索条体係合部は、当該親管吊ピースに一体的に設けられている特徴とする請求項１に記載の吊り足場用パネル。
【請求項８】
当該親管と当該コロバシ管との交錯部及び／又は当該コロバシ管と当該底板部との接合部は、何れも適宜の着脱自在型接合部材を介して係合せしめられている事を特徴とする請求項１乃至７の何れかに記載の吊り足場用パネル。
【請求項９】
当該親管及び／又は当該コロバシ管に設けられた当該凹陥部は、当該親管及び／又は当該コロバシ管が、中空体で形成されている場合には、当該凹陥部の開口部は、適宜の部材で閉鎖されている事を特徴とする請求項１乃至８の何れかに記載の吊り足場用パネル
【請求項１０】
当該第１の吊り足場用パネル上には、当該第１の吊り足場用パネル上で一部が仮組立されている、当該１の吊り足場用パネルに対して隣接配置される第２の吊り足場用パネルの足場基底部の仮組立枠体を当該第１の吊り足場用パネル上で摺動させる為の可動部材が配置されている特徴とする請求項６に記載の吊り足場用パネル。
【請求項１１】
当該親管は、中空状の筒体で形成されており、当該親管の双方の端部は、当該親さや管が挿入・排出自在となる開口部が形成されている特徴とする請求項２に記載の吊り足場用パネル。
【請求項１２】
当該親管の少なくとも一方の長尺方向端部の当該開口部の下端部には、隣接して連結される他の吊り足場用パネルに於ける当該親管の長尺方向端部に配置されている親さや管を、当該親管の長尺軸方向とは異なる方向から当該親管と係合しうる様に構成された切欠部が設けられている事を特徴とする請求項１１に記載の吊り足場用パネル。
【請求項１３】
当該コロバシ管の双方の端部には、手摺パイプを保持する手摺柱を支持する手摺柱支持部が着脱自在に取付られている事を特徴とする請求項１乃至１２の何れかに記載の吊り足場用パネル。
【請求項１４】
当該索条体の他方の端部は、当該吊り足場用パネルの上部空間部に存在する橋脚、梁、鉄骨、壁面等に固定的に設けられている適宜の係止具を介して作業者の作業位置近傍にとどめ置かれ、当該足場基底部の仮組立枠体の摺動に使用される事を特徴とする請求項６に記載された吊り足場用パネル。
【請求項１５】
当該親管と当該コロバシ管との交差部に於いては、当該親管の最上面部と当該コロバシ管の最上面部とが面一の面を形成している事を特徴とする請求項１乃至１４の何れかに記載の吊り足場用パネル。
【請求項１６】
請求項１に記載された複数本の親管、複数本のコロバシ管、複数本の親さや管、複数枚の底板部、複数本の手摺パイプ、複数本の手摺柱、複数個の手摺柱支持部、複数本の親チェ−ンを含む吊り足場用パネルユニット。
【請求項１７】
当該コロバシ管の長尺方向の長さは、当該親管の長尺方向の長さと一致する事を特徴とする請求項１５及び１６の何れかに記載の吊り足場用パネルユニット。
【請求項１８】
当該吊り足場用パネルユニットには、更に、チェーン、索条体、ボルト・ナット類、親管補強ＰＬ、コロバシ管補強ＰＬ、底板補強アングル、底板タイＰＬ、底板通し穴パイプ、コロバシ管止ボルト、底板止ボルト、底板継ピースボルト、さや管止ロットピン、直交クランプ、パイプジョイント等が含まれている事を特徴とする請求項１６に記載の吊り足場用パネルユニット。
【請求項１９】
予め準備された適宜の足場上、若しくは、本発明に係る、既に組立完了状態にある吊り足場用パネル（以下単に「基礎足場」と言う）上に於いて、少なくとも２本の親管を、新たに組み立てる吊り足場用パネル（以下、隣接吊り足場用パネルという）を延長形成させたい方向に沿って互いに平行に所定の間隔を開けて配置する工程１、
当該親管の第１の凹陥部の一部に、当該親管と直交する方向に、１本若しくは複数本のコロバシ管を、当該コロバシ管の第２の凹陥部を相互に嵌合する様に嵌め合わせて、当該隣接吊り足場用パネルの足場基底部となる仮組立枠体を形成する工程２、
当該仮組立枠体に於ける、当該親管の、当該仮組立枠体の前進進行方向側にある先端部（以下親管先端部という）から当該基礎足場側に向けて数えて１個目若しくは複数個目の、当該第１の凹陥部（１）とそれより当該基礎足場側に存在する他の第１の凹陥部（０）との間に存在する当該親管の表面部と当該吊り足場用パネルの上方空間部に設けられた適宜の係止具との間に、当該仮組立枠体を後述する様に、空間中に延展させる為に当該仮組立枠体を前進させる為の機能を有すると共に当該仮組立枠体の重量を支える為の第１のロープを張設する工程３、
当該仮組立枠体を、当該吊り足場用パネルを新たに延長形成させたい方向と平行な方向に沿って、所定の距離に亘って、適宜の移動補助手段を使用して、一度に、若しくは段階的に徐々に所定の距離だけ前進させ、少なくとも、当該親管の当該ロープが取り付けられている部分若しくはその近傍部分が当該基礎足場の端縁部から空間に延展される様に移動させる工程４、
当該ロープが取り付けられている当該親管の表面部分よりも当該基礎足場の端縁部方向側に存在する当該親管の当該第１の凹陥部の内、当該ロープが取り付けられている当該親管の表面部分に最も接近している当該第１の凹陥部に、未使用の当該コロバシ管をその第２の凹陥部が当該親管の当該第１の凹陥部と嵌合する様に配置固定する工程５、
当該仮組立枠体を、当該吊り足場用パネルを新たに延長形成させたい方向に沿って、更に所定の距離移動させるか、移動させないで、当該コロバシ管が配置固定されたばかりの当該親管の当該第１の凹陥部の当該基礎足場の端縁部方向側に存在する当該親管の別の表面部分、と当該吊り足場用パネルの上方空間部に設けられた適宜の係止具との間に第１のチェーンを張設する工程６、
その後、当該仮組立枠体を、当該吊り足場用パネルを新たに延長形成させたい方向に沿って、更に所定の距離移動させるか、移動させないで、当該ロープが係合されている当該親管に於ける当該表面部から当該親管の当該先端部方向に存在する未使用の当該第１の凹陥部の内で、当該ロープが係合されている当該親管に於ける当該表面部に最も接近している当該第１の凹陥部内に未使用の当該コロバシ管をその第２の凹陥部が当該親管の当該第１の凹陥部と嵌合する様に配置固定する工程７、
更に、当該仮組立枠体を、当該吊り足場用パネルを新たに延長形成させたい方向に沿って、更に所定の距離だけ移動させるか、移動させないで、当該工程７に於いて、当該コロバシ管が嵌入されて配置固定された当該第１の凹陥部に接続している表面部分の内で、当該親管先端側部分側に存在している当該親管の表面部分の内で該コロバシ管が嵌入されて配置固定された当該第１の凹陥部に最も近接している当該表面部分と、当該吊り足場用パネルの上方空間部に設けられた適宜の係止具との間に第３のチェーンを張設する工程８、
更に、当該仮組立枠体を、当該吊り足場用パネルを新たに延長形成させたい方向に沿って、更に所定の距離だけ移動させるか、移動させないで、当該第３のチェーンが取り付けられている当該親管に於ける当該表面部分よりも当該親管先端部分側に存在する当該第１の凹陥部のうちで当該第３のチェーンに最接近している当該未使用の第１の凹陥部内に、未使用の当該コロバシ管をその第２の凹陥部が当該親管の当該第１の凹陥部と嵌合する様に配置固定する工程９、
更に、当該工程９に於いて、当該コロバシ管が嵌入されて配置固定された当該第１の凹陥部に接続している表面部分の内で、当該親管先端側部分側に存在している当該親管の表面部分の内で該コロバシ管が嵌入されて配置固定された当該第１の凹陥部に最も近接している当該表面部分と、当該吊り足場用パネルの上方空間部に設けられた適宜の係止具との間に第４のチェーンを張設する工程１０、
その後、当該仮組立枠体を、当該吊り足場用パネルを新たに延長形成させたい方向に沿って、更に所定の距離移動させるか、移動させないで、新たに張設されたチェーンが係合されている当該親管の当該表面部から当該親管先端部迄の間に当該コロバシ管が嵌入されていない当該未使用の第１の凹陥部の存在が無くなる迄、上記工程９及び工程１０を繰り返す工程１１、
当該工程１０或いは当該工程１１が終了後、当該新たな吊り足場用パネルの基礎部分となる当該仮組立枠体を吊り下がり状態で移動或いは摺動させて、当該仮組立枠体に於ける当該親管の当該基礎足場側に設けられている開口部を、当該基礎足場の先端縁部に設けられている、当該親管の当該開口部に嵌合しうる部材と嵌合させて双方を固定しょりする工程１２、
当該仮組立枠体表面部に、複数枚の長尺状の底板部を、当該親管の配列方向と平行都なる様に配列搭載し、適宜の固定手段により、当該各底板部を当該コロバシ管に接合固定すると共に、当該各底板部の長尺方向の一端部に設けられた底板継ピース（突起部）を当該基礎足場の先端縁部に設けられている孔部に挿入して固定する工程１３
当該複数個のコロバシ管の両端部に適宜の手摺柱支持部を取り付け、当該手摺柱支持部に係合された手摺柱の少なくとも一本の水平に配置される手摺部を適宜のクランプ手段を介して取り付ける工程１４
とから構成されている事を特徴とする吊り足場用パネルの施工方法。
【請求項２０】
上記した請求項１９に記載の各工程を逆に実行する様に構成した事を特徴とする吊り足場用パネルの解体方法。
【発明の詳細な説明】
【技術分野】
【０００１】
本発明は、吊り足場用パネル、吊り足場用パネルの施工方法に係わり、特には、従来の足場用パネルよりも簡易な構成であって、施工時間、解体時間が短く、軽量で、材料費を含めた施工費用が安価である経済的な吊り足場用パネル及びその施工方法に関するものである。
【背景技術】
【０００２】
従来から、鉄道や道路の橋脚、梁、鉄骨、トンネル、壁面等の建設工事或いは補修工事に際して、当該作業を必要とする高架部位に作業員が、安全に作業が出来る様に工事用の仮設式足場を設ける必要があり、これまでは一般的に適宜の部材を使用して支保工を組上げ、その上に当該作業員が作業するに必要な空間を維持できる平面を確保する仮設式足場を取り付けていた。
然しながら、係る従来の施工方法は、当該支保工を含む仮設式足場を形成するに要する部材の数が多すぎ、当該仮設式足場の組立には多大の作業時間と作業者の介入が必須となっていたことから、当該仮設式足場の設置及びその解体作業に要するコストが膨大なものとなり、経済的負担の大きい足場施工方法であった。
【０００３】
一方、近年では、当該橋脚、梁、鉄骨、壁面等が地表からかなり高い空間に配置される例も多く成ってきており、係る高度空間での、当該橋脚、梁、鉄骨、壁面等の建設工事或いは補修工事では、上記した従来の仮設式足場の施工方法は全く使用出来ず、その為、吊り方式による仮設式足場の施工技術が開発されてきている。
例えば、特許第４２８４２２５号公報（特許文献１）には、高速道路や橋梁等の高層構築物の下面部に、当該高層構築物の下面に設けられたＨ鋼からなる梁部材から垂下させた作業床部に作業者がのり、当該作業者により、当該梁部材に沿ってレール部材を取付け、当該レール部材に適宜の移動部を設けて、これに別途作成した足場パネルをワイヤーで吊りあげた後、ウインチ装置を併用して当該足場パネルを所定の部所まで移動させると言う方法を採用したものである。
係る方法は、多種の重量のある機器を使用すると共に、それらの重量を大きくなる上、施工方法が極めて多種多様で複雑であることから、施工期間も長期化し、施工に要するコストが増加すると言う問題を有している。
【０００４】
その他、特許第２９２４６５９号公報（特許文献２）には、主梁、横梁及びパネル部材から構成された吊方式による組立足場の構造に関して記載されており、当該主梁は、既設足場の主梁と継足す足場の主梁とを適宜の連結部材を使用して相互に連結する方法が開示されてはいるが、横梁の上に更に外梁部を別体で設け、その上にパネル部材を取り付ける構成を有するものであるので、全体として嵩張る構成となっていると同時に、当該主梁と横梁との係合部が単なる載置方式であるので、強度が不十分であると共に材料費の高騰と全体の重量の増加から、当該足場の架設費用が高騰すると共に架設時間を長期化し、その結果、架設費用も高くなると言う問題がある。
【０００５】
その他、特開平１０−１１５０８５号公報（特許文献３）には、組立式吊り足場の構造が示されているが、当該足場は、それぞれの足場ユニットが一対の吊下げ金具を有し、当該吊下げ金具の下端部に、旋回式床材を折り畳み可能な状態で保持しておき、当該足場の施工に際しては、作業員が固定台の先端部に当該吊下げ金具を上部の梁部から吊り下げた後、当該旋回式床材を水平に開き、当該床材に作業員が乗り移り、次の当該吊下げ金具を上部の梁部から吊り下げた後、当該旋回式床材を水平に開くと言う操作を繰り返して所定の長さの足場を建設する様にしたものである。
然しながら、係る吊り足場は、個々の寸法が、予め固定的に設計された幅と高さと長さを有するものである為、足場としては適用されるサイズが限定されるので、汎用性に欠け、その分コスト高となる問題が存在し、更に個々の施工にあたっては、クレーン等の重機の搬入も要求されるので、全体としてコスト高となる問題があった。
【先行技術文献】
【特許文献】
【０００６】
【特許文献１】特許第４２８４２２５号公報
【特許文献２】特許第２９２４６５９号公報
【特許文献３】特開平１０−１１５０８５号公報
【発明の概要】
【発明が解決しようとする課題】
【０００７】
本願発明は、上記した点に鑑みてなされたものであり、その目的とするところは、従来の足場用パネルよりも簡易な構成であって、施工時間、解体時間が短く、軽量で、材料費を含めた施工費用が安価である経済的な吊り足場用パネル及びその施工方法並びに吊り足場用パネルユニットを提供するものである。
【課題を解決するための手段】
【０００８】
本発明は、上記した目的を達成するために、第１の態様としては、基本的には  吊り足場用パネルであって、当該吊り足場用パネルは、矩形状の平面を形成する足場基底部と、少なくとも当該足場基底部の相互に対向する２つの辺部に配置されている手摺部と当該足場基底部の少なくとも一部と当該吊り足場用パネルの上部空間部に於いて、橋脚、梁、鉄骨、壁面等に固定的に設けられている鎖止部との間に張設されて、当該足場基底部を所望の空中部位に保持する為の親チェ−ンとを含み、且つ、当該足場基底部は、当該複数個の吊り足場用パネル同士が長尺状に相互に連結されて吊り足場回廊を形成するに際しての当該連結方向に沿って相互に平行に配置される複数本の親管と、当該親管の当該配列方向と直交する方向で、相互に平行に配置される複数個のコロバシ管と、当該親管と当該コロバシ管とにより形成された格子状の当該足場基底部の基板部上に当該親管の配列方向と同一方向に相互に平行に（要すれば相互に隣接して）配置されている複数枚の当該配列方向に長尺軸を有する矩形状平面部からなる底板部とから構成されており、更に、当該親管には、当該親管の長尺軸方向に沿って、複数個の第１の凹陥部が形成されており、又、当該コロバシ管には、当該コロバシ管の長尺軸方向に沿って、当該第１の凹陥部と嵌合し得る第２の凹陥部が設けられており、且つ、当該親管に於ける当該第１の凹陥部が形成されている表面を除く表面部に、当該親管の長尺軸方向に沿って、当該チェーンの一端部が係合される複数個の親管吊ピースが設けられている事を特徴とする吊り足場用パネルであり、又、本発明に係る第２の態様としては、予め準備された適宜の足場上、若しくは、本発明に係る、既に組立完了状態にある吊り足場用パネル（以下単に「基礎足場」と言う）上に於いて、少なくとも２本の親管を、新たに組み立てる吊り足場用パネル（以下、隣接吊り足場用パネルという）を延長形成させたい方向に沿って互いに平行に所定の間隔を開けて配置する工程１、
当該親管の第１の凹陥部の一部に、当該親管と直交する方向に、１本若しくは複数本のコロバシ管を、当該コロバシ管の第２の凹陥部を相互に嵌合する様に嵌め合わせて、当該隣接吊り足場用パネルの足場基底部となる仮組立枠体を形成する工程２、
当該仮組立枠体に於ける、当該親管の、当該仮組立枠体の前進進行方向側にある先端部（以下親管先端部という）から当該基礎足場側に向けて数えて１個目若しくは複数個目の、当該第１の凹陥部（１）とそれより当該基礎足場側に存在する他の第１の凹陥部（０）との間に存在する当該親管の表面部と当該吊り足場用パネルの上方空間部に設けられた適宜の係止具との間に、当該仮組立枠体を後述する様に、空間中に延展させる為に当該仮組立枠体を前進させる為の機能を有すると共に当該仮組立枠体の重量を支える為の第１のロープを張設する工程３、
当該仮組立枠体を、当該吊り足場用パネルを新たに延長形成させたい方向と平行な方向に沿って、所定の距離に亘って、適宜の移動補助手段を使用して、一度に、若しくは段階的に徐々に所定の距離だけ前進させ、少なくとも、当該親管の当該ロープが取り付けられている部分若しくはその近傍部分が当該基礎足場の端縁部から空間に延展される様に移動させる工程４、
当該ロープが取り付けられている当該親管の表面部分よりも当該基礎足場の端縁部方向側に存在する当該親管の当該第１の凹陥部の内、当該ロープが取り付けられている当該親管の表面部分に最も接近している当該第１の凹陥部に、未使用の当該コロバシ管をその第２の凹陥部が当該親管の当該第１の凹陥部と嵌合する様に配置固定する工程５、
当該仮組立枠体を、当該吊り足場用パネルを新たに延長形成させたい方向に沿って、更に所定の距離を移動させるか、移動させないで、当該コロバシ管が配置固定されたばかりの当該親管の当該第１の凹陥部の当該基礎足場の端縁部方向側に存在する当該親管の別の表面部分、と当該吊り足場用パネルの上方空間部に設けられた適宜の係止具との間に第１のチェーンを張設する工程６、
（この段階で、当該基礎足場上に存在している当該複数本の親管で、未だ、当該コロバシ管が配置固定されていない、全ての当該第１の凹陥部内に、未使用の当該コロバシ管を嵌合して配置固定する工程７’を実行しても良い。）
その後、当該仮組立枠体を、当該吊り足場用パネルを新たに延長形成させたい方向に沿って、更に所定の距離を移動させるか、移動させないで、当該ロープが係合されている当該親管に於ける当該表面部から当該親管の当該先端部方向に存在する未使用の当該第１の凹陥部の内で、当該ロープが係合されている当該親管に於ける当該表面部に最も接近している当該第１の凹陥部内に未使用の当該コロバシ管をその第２の凹陥部が当該親管の当該第１の凹陥部と嵌合する様に配置固定する工程７、
（この段階で、当該ロープを取り除き、新たな第２のチェーンと交換する工程を追加する事も出来る。）
更に、当該仮組立枠体を、当該吊り足場用パネルを新たに延長形成させたい方向に沿って、更に所定の距離移動させるか、移動させないで、当該工程７に於いて、当該コロバシ管が嵌入されて配置固定された当該第１の凹陥部に接続している表面部分の内で、当該親管先端側部分側に存在している当該親管の表面部分の内で該コロバシ管が嵌入されて配置固定された当該第１の凹陥部に最も近接している当該表面部分と、当該吊り足場用パネルの上方空間部に設けられた適宜の係止具との間に第３のチェーンを張設する工程８、
更に、当該仮組立枠体を、当該吊り足場用パネルを新たに延長形成させたい方向に沿って、更に所定の距離移動させるか、移動させないで、当該第３のチェーンが取り付けられている当該親管に於ける当該表面部分よりも当該親管先端部分側に存在する当該第１の凹陥部のうちで当該第３のチェーンに最接近している当該未使用の第１の凹陥部内に、未使用の当該コロバシ管をその第２の凹陥部が当該親管の当該第１の凹陥部と嵌合する様に配置固定する工程９、
更に、当該工程９に於いて、当該コロバシ管が嵌入されて配置固定された当該第１の凹陥部に接続している表面部分の内で、当該親管先端側部分側に存在している当該親管の表面部分の内で該コロバシ管が嵌入されて配置固定された当該第１の凹陥部に最も近接している当該表面部分と、当該吊り足場用パネルの上方空間部に設けられた適宜の係止具との間に第４のチェーンを張設する工程１０、
その後、当該仮組立枠体を、当該吊り足場用パネルを新たに延長形成させたい方向に沿って、更に所定の距離移動させるか、移動させないで、新たに張設されたチェーンが係合されている当該親管の当該表面部から当該親管先端部迄の間に当該コロバシ管が嵌入されていない当該未使用の第１の凹陥部の存在が無くなる迄、上記工程９及び工程１０を繰り返す工程１１、
当該工程１０或いは当該工程１１が終了後、当該新たな吊り足場用パネルの基礎部分となる当該仮組立枠体を吊り下がり状態で移動或いは摺動させて、当該仮組立枠体に於ける当該親管の当該基礎足場側に設けられている開口部を、当該基礎足場の先端縁部に設けられている、当該親管の当該開口部に嵌合しうる部材と嵌合させて双方を固定処理する工程１２、
当該仮組立枠体表面部に、複数枚の長尺状の底板部を、当該親管の配列方向と平行都なる様に配列搭載し、適宜の固定手段により、当該各底板部を当該コロバシ管に接合固定すると共に、当該各底板部の長尺方向の一端部に設けられた底板継ピース（突起部）を当該基礎足場の先端縁部に設けられている孔部に挿入して固定する工程１３、
当該複数個のコロバシ管の両端部に適宜の手摺柱支持部を取り付け、当該手摺柱支持部に係合された手摺柱の少なくとも一本の水平に配置される手摺部を適宜のクランプ手段を介して取り付ける工程１４、
とから構成されている事を特徴とする吊り足場用パネルの施工方法である。
【０００９】
又、本発明に係る第３の態様としては、上記した本発明に係る第１の態様に関連するものであって、当該第１の態様に記載された複数本の親管、複数本のコロバシ管、親さや管、複数枚の底板部、複数本の手摺パイプ、複数本の手摺柱、複数個の手摺柱支持部、複数本の親チェ−ンを一つの組みとして構成された吊り足場用パネルユニットである。
【発明の効果】
【００１０】
本発明は上記のような基本的な技術構成を採用しているので、上記した多くの問題点を抱えている吊り足場用パネルの構造を改良して、簡素化し、使用される各部品の形状、構造を特定化して、軽量化を目指すものでありながら当該吊り足場用パネル自体の強度、耐久性を損なうことなく、然もそれによって、当該吊り足場用パネルの製造工程や施工工程を単純化する事によって、施工工程並びに施工時間を短縮化すると共に、製造工程や施工工程の効率化を図ることによって、当該吊り足場用パネルの総合的な施工コストを大幅に削減する事が出来る吊り足場用パネルを提供することが可能となったものである。
【図面の簡単な説明】
【００１１】
【図１】図１は、本発明に係る吊り足場用パネルの一具体例の構成を示す図である。
【図２】図２は、本発明に係る親管の一具体例の構成を説明する図である。
【図３】図３は、本発明に係るコロバシ管の一具体例の構成を説明する図である。
【図４】図４は、本発明に係る吊り足場用パネルの一具体例の構成を示す図である。
【図５】図５は、本発明に係る手摺柱支持部一具体例の構成を示す図である。
【図６】図６は、本発明に係る親管とコロバシ管の交差部の構成の一例を説明する図である。
【図７】図７は、本発明に係る吊り足場用パネルの施工方法の一具体例を説明する図である。
【図８】図８は、本発明に係る吊り足場用パネルの施工方法の一具体例を説明する図である。
【図９】図９は、本発明に係る吊り足場用パネルの施工方法の一具体例を説明する図である。
【図１０】図１０は、本発明に係る吊り足場用パネルの施工方法の一具体例を説明する図である。
【図１１】図１１は、本発明に係る吊り足場用パネルの施工方法の一具体例を説明する図である。
【図１２】図１２は、本発明に係る吊り足場用パネルの施工方法の一具体例を説明する図である。
【図１３】図１３は、本発明に係る吊り足場用パネルの施工方法の一具体例を説明する図である。
【図１４】図１４は、本発明に係る吊り足場用パネルの施工方法の一具体例を説明する図である。
【図１５】図１５は、本発明に係る吊り足場用パネルの施工方法の一具体例を説明する図である。
【図１６】図１６は、本発明に係る吊り足場用パネルの施工方法の一具体例を説明する図である。
【図１７】図１７は、本発明に係る吊り足場用パネルの施工方法の一具体例を説明する図である。
【図１８】図１８は、本発明に係る吊り足場用パネルの施工方法の一具体例を説明する図である。
【発明を実施するための形態】
【００１２】
以下に、本発明の吊り足場用パネル及び吊り足場用パネルの施工方法の具体的な態様について図面を参照しながら詳細に説明する。
即ち、図１（Ａ）、（Ｂ）及び（Ｃ）は、本発明に係る吊り足場用パネル１の一具体例の構成の概略を説明する斜視図並びに側面図及び正面図をそれぞれ示す図であって、図中、吊り足場用パネル１であって、当該吊り足場用パネル１は、矩形状の平面を形成する足場基底部２と、少なくとも当該足場基底部２の相互に対向する２つの辺部３、３’に配置されている手摺部４と当該足場基底部２の少なくとも一部と当該吊り足場用パネル１の上部空間部５に於いて、橋脚、梁、鉄骨、壁面６等に固定的に設けられている鎖止部７との間に張設されて、当該足場基底部２を所望の空中部位に保持する為の親チェ−ン８とを含み、且つ、当該足場基底部２は、当該複数個の吊り足場用パネル１同士が長尺状に相互に連結されて吊り足場回廊を形成するに際しての当該連結方向に沿って相互に平行に配置される複数本の親管１０と、当該親管１０の当該配列方向と直交する方向で、相互に平行に配置される複数個のコロバシ管１１と、当該親管１０と当該コロバシ管１１とにより形成された格子状の当該足場基底部２の基板面１２上に当該親管１０の配列方向と同一方向に相互に平行に（要すれば相互に隣接して）配置されている複数枚の当該配列方向に長尺軸を有する矩形状平面部からなる底板部１３とから構成されており、更に、当該親管１０には、当該親管１０の長尺軸方向に沿って、複数個の第１の凹陥部１４が形成されており、又、当該コロバシ管１１には、当該コロバシ管１１の長尺軸方向に沿って、当該第１の凹陥部１４と嵌合し得る第２の凹陥部１５が設けられており、且つ、当該親管１０に於ける当該第１の凹陥部１４が形成されている表面を除く表面部１６に、当該親管１０の長尺軸方向に沿って、当該チェーン８の一端部が係合される複数個の親管吊ピース１７が設けられている事を特徴とする吊り足場用パネル１が示されている。
【００１３】
本発明に於いて使用される当該親管１０及び当該コロバシ管１１は、その断面形状や材質或いは各種のスペック等に関しては、特に限定されるものではないが、例えば、その断面は、円形、矩形、楕円形、多角形等の形状から選択された一つの形状を有するものである事が望ましく、又、それらの材質としては、金属、合成樹脂、木材、補強繊維含有プラスチック、紙、或いはそれらの複合材料等が使用されるものであって、軽量で、強度が高い金属製材料を使用する事が好ましく、更には、当該親管１０及び当該コロバシ管１１は、中空状の筒状体を使用する事が望ましい。
【００１４】
それは、材料費の抑制もあるが、軽量化、簡易構造化を図る事によって、運搬費用の低減化、施工作業を容易化する事に付帯する施工期間の短縮化による施工コストの低減化を期待する事が可能である。
一方、当該親管１０と当該コロバシ管１１の太さも特に限定されるものではないが、例えば、当該親管１０と当該コロバシ管１１の直径或いは一辺の長さの一例として、５０ｍｍ乃至６０ｍｍ程度に設定する事が可能である。
又、当該親管１０と当該コロバシ管１１の長さも特に限定されるものではなく、使用される当該吊り足場用パネル１の単位長さや単位幅の長さに応答して決定する事が出来る。
【００１５】
本発明に於ける当該吊り足場用パネル１の単位長さや単位幅は、使用する現場の状況に応じて種々の寸法のものが、予め用意されることになるが、極一般的な当該親管１０の単位長さは、２４００ｍｍであり、当該コロバシ管１１の単位長さは、２５００ｍｍである事が望ましい。
一方、本発明に於いて使用される当該底板部１３は、当該親管１０の長尺軸と平行する長尺軸を持つ、長細い形状を呈し、当該複数個の底板部１３は、当該親管１０の配列方向と平行に、且つ当該親管１０の表面部位を除いて、当該コロバシ管１１の配列方向と平行する方向に相互に密接して或いは所定の間隔を介して相互に並列的に配置されるものである。
【００１６】
そして、当該底板部１３は、作業員が所定の作業を実行する場所である当該吊り足場用パネル１の足場基底部を構成するものであり、その材質、形状、寸法等も特に限定されるものではないが、その材質としては、金属、合成樹脂、木材、補強繊維含有プラスチック、紙、或いはそれらの複合材料等が使用されるものであって、特には、軽量で、強度が高い金属製材料を使用する事が好ましい。
【００１７】
更に、当該底板部１３の形状も特に限定されるものではないが、一般的には、長尺軸を持つ、長細い帯状の平面形状を有するものであり、当該底板部１３の長さは一般的には、当該親管１０の長さと略同一である事が好ましく、当該長さは２４００ｍｍで、その幅は３５０乃至４００ｍｍであり、又、当該底板部１３の厚みは、１．５ｍｍ乃至８ｍｍ程度に設定される事が望ましい。
尚、当該底板部１３の表面には、適宜の滑り止め形状或いは滑り止め構造が設けられている事は、好ましい具体例である。
【００１８】
次に、本発明に於いて使用される当該親管１０の形状並びにその構造に付いて図２を参照しながら詳細に説明する。
図２（Ａ）及び図２（Ｂ）は、本発明に於いて使用される当該親管１０の構成の概要を説明する側面図及び斜視図であり、当該親管１０は、その長尺軸方向に沿って、複数個の第１の凹陥部１４が形成されている。
【００１９】
当該第１の凹陥部１４は、その個数、大きさ、相互の配置間隔は、特に限定されるものではないが、当該吊り足場用パネル１の当該足場基底部２に要求される強度、や当該親管１０と交差配置される当該コロバシ管１１の本数との関連を考慮して決定する事が可能であるが、例えば、当該親管１０の長尺軸方向に沿って等間隔で４個乃至１０個形成する事が望ましく、或いは、図示の通り、複数個の当該第１の凹陥部１４が近接して組として配置され、それから所定の間隔をおいて、他の復数個の当該第１の凹陥部１４の組が配置される様に構成したものであっても良い。
当該第１の凹陥部１４は、当該親管１０の上部表面部１６から下方に向けて所定の幅で所定の深さを有する様に形成される。
【００２０】
当該第１の凹陥部１４に於ける幅Ｗは、当該コロバシ管１１の幅ｗと同じ寸法に設定される事が望ましく、又、当該第１の凹陥部１４に於ける深さＨは、当該親管１０の高さの略半分の長さに設定される事が望ましい。
係る深さは、後述する当該コロバシ管１１に設けられる当該第２の凹陥部１５の深さと同一とする事が望ましい。
これは、図６に示す通り、当該親管１０と当該コロバシ管１１との交錯点部の当該コロバシ管１１の上部表平面１６’が当該親管１０の上部表面部１６と同一平面を形成する様に、面一に構成する為に必要な構成である。
【００２１】
本発明に於ける当該親管１０の当該第１の凹陥部１４は、当該親管１０自体が
中空状の筒状体で構成されている場合には、当該第１の凹陥部１４を形成することによって、当該凹陥部１４の切除部分に開口孔部が形成されるが、係る開口孔部をそのままにしておくと、当該親管１０の強度が極端に低下することから、当該開口孔部を適宜の閉鎖部材２５によって閉鎖し、めくら状態を形成しておく事が望ましい。
【００２２】
一方、当該親管１０に於ける、当該第１の凹陥部１４が形成されている部分の間に存在する当該親管１０の上部表面部１６には、適宜の形状及び構成を有する親管吊ピース１７が少なくとも一個固定配置されており、当該親管吊ピース１７は、上記したチェーン８或いはロープ等の索条体１６０の先端端部を係止する機能を有しており、例えば、図２に示す様に、当該親管吊ピース１７内部に、当該チェーン８の先端端部を係止する為の係止孔部１７−１と或いは当該索条体１６０の先端端部を係止する為の係止孔部１７−２とが一体的に形成されている構成を有している。
【００２３】
本発明に於いては、当該親管吊ピース１７は、当該チェーン８のみを係止する部材と当該索条体１６０のみを係止する部材とを個別の独立した機能を有する部材１８として個別的に配置したものであっても良い。
【００２４】
更に、当該親管１０の両方の端部２７、２８には、第１の当該吊り足場用パネル１とそれに隣接して、当該親管１０の長手軸方向に延展配置される第２の吊り足場用パネル１’の当該親管１０’とを効率よく連結固定する為の親さや管２１を嵌入させる事が可能な端面開口部２０がそれぞれ設けられており、更には、当該端面開口部２０と隣接する当該親管１０の側面には、当該親さや管２１の側面部に形成された固定用ボルト等が挿入される固定孔部２３の一部と対応する位置に、当該固定用ボルト等の挿入孔部２２が設けられている。
【００２５】
尚、本発明に於ける当該親管１０の少なくとも一方の長尺方向端部２７の当該開口部２０の下端部は、図２（Ｃ）に示す様に、隣接して連結される他の吊り足場用パネル１’に於ける当該親管１０’の長尺方向端部に配置されている親さや管２１を、当該親管１０の長尺軸方向とは異なる方向から当該親管１０と係合しうる様に構成された切欠部６５が設けられている事も好ましい具体例である。
【００２６】
つまり、本具体例では、当該親管１０の少なくとも一方の長尺方向端部２７の当該開口部２０の下端部分は、取り除かれていて、断面コの字型を呈しており、従って、一方の吊り足場用パネル１の一方の長尺方向端部２７を別の吊り足場用パネル１’に於ける当該親管１０’の長尺方向端部２８’に配置されている親さや管２１の端部とを連結する際に、一方の吊り足場用パネル１の一方の長尺方向端部２７を上から下方向に向けて下降する操作をするのみで、当該結合操作を容易に且つ確実に実行する事が可能となり、それ以外の構成では、一旦、一方の吊り足場用パネル１を他方の吊り足場用パネル１’の前方に配置し、且つ、両者の平面を面一の水平に成る様に位置決めした上で、一方の吊り足場用パネル１を他方の吊り足場用パネル１’の端縁部に向けて徐々に引き戻し、当該親管１０の端部を当該親さや管２１に挿入すると言う複雑な操作が必要とされるが、上記具体例では、この複雑な操作を簡略する事が可能となるので、後述する本発明に於ける吊り足場用パネルの施行方法での操作を短縮化する事が出来る。
【００２７】
次に、本発明に於いて使用される当該コロバシ管１１の形状並びにその構造に付いて図３を参照しながら詳細に説明する。
図３（Ａ）及び図３（Ｂ）は、本発明に於いて使用される当該コロバシ管１１の構成の概要を説明する側面図及び斜視図であり、当該コロバシ管１１は、その長尺軸方向に沿って、複数個の第２の凹陥部１５が、当該コロバシ管１１の下部表面部３０に形成されている。
【００２８】
当該第２の凹陥部１５は、その個数、大きさ、相互の配置間隔は、特に限定されるものではないが、当該吊り足場用パネル１の当該足場基底部２に要求される強度、や当該コロバシ管１１と交差配置される当該親管１０の本数或いはその間隔との関連を考慮して決定する事が可能であるが、例えば、当該コロバシ管１１の長尺軸方向に沿って等間隔で４個乃至１０個形成する事が望ましく、或いは、図示の通り、複数個の当該第２の凹陥部１５が近接して組として配置され、それから所定の間隔をおいて、他の復数個の当該第２の凹陥部１５の組が配置される様に構成したものであっても良い。
【００２９】
当該コロバシ管１１に形成される当該第２の凹陥部１５は、当該親管１０の第１の凹陥部１４と相互に嵌合しあい、安定して強固な交差点部３５を形成するものであるが、別の機能として、当該吊り足場用パネル１の幅が基準とされる幅よりも長くなっている場合、当該コロバシ管１１を２本相互に隣接した形で並列に配列する際に一方の当該コロバシ管１１が当該親管１０と交差する際の当該第２の凹陥部１５の位置と他方の当該コロバシ管１１が当該親管１０と交差する際の当該第２の凹陥部１５の位置とをずらせることにより当該幅の調整を行う事が出来る。
又、当該吊り足場用パネル１に於ける当該吊り足場用パネル１の当該足場基底部２に要求される強度を増加したい場合には、例えば、２本の当該コロバシ管１１を隣接して並列配置する様に構成する事が可能となる。
【００３０】
当該第２の凹陥部１５は、当該コロバシ管１１の下部表面部３０から上方に向けて所定の幅で所定の深さを有する様に形成される。
当該第２の凹陥部１５に於ける幅ｗは、当該親管１０の幅Ｗと同じ寸法に設定される事が望ましく、又、当該第２の凹陥部１５に於ける深さｈは、当該コロバシ管１１の高さの略半分の長さに設定される事が望ましい。
係る深さは、後述する当該親管１０に設けられる当該第１の凹陥部１４の深さと同一とする事が望ましい。
これは、当該親管１０と当該コロバシ管１１との交錯点部の当該コロバシ管１１の上部表平面１６’が当該親管１０の上部表面部１６と同一平面を形成する様に、面一に構成する為に必要な構成である。
【００３１】
本発明に於ける当該コロバシ管１１の当該第２の凹陥部１５は、当該コロバシ管自体が中空状の筒状体で構成されている場合には、当該第２の凹陥部１５を形成することによって、当該第２の凹陥部１５の切除部分に開口孔部が形成されるが、係る開口孔部をそのままにしておくと、当該コロバシ管１１の強度が極端に低下することから、当該開口孔部を適宜の閉鎖部材２５’によって閉鎖し、めくら状態を形成しておく事が望ましい。
【００３２】
更に、当該コロバシ管１１の両方の端部２７’、２８’には、当該吊り足場用パネル１には法規制上、所定の高さを有する手摺を少なくとも当該吊り足場用パネル１の長手方向の左右両側面部に手摺３３を設ける事が要求されているので、当該てすり３３としての手摺パイプ３３’を取り付ける為の適宜の手摺柱３２を保持固定する手摺柱支持部３１を着脱自在に係合固定する様に構成されている事が望ましく、例えば、図５に示す様に、Ｌ字状に屈曲させた中空状筒体３１を適宜の着脱自在に係合固定手段、例えばボルト・ナット等を使用して固定する様に構成されている。
【００３３】
より具体的には、当該Ｌ字状に屈曲させた中空状筒体３１の下端部に当該係合固定手段が貫通出来る嵌合孔部３６を設けると共に、当該コロバシ管１１の当該各端部２７’、２８’の近傍部分に当該係合固定手段を貫通させる為のネジ穴部３４を設けておくものである。
【００３４】
本発明に於ける当該コロバシ管１１と当該親管１０とは、所望の大きさの足場基底部２を構成するのに必要な長さを持つもの及び必要な強度を有する当該足場基底部２を構成させる為に、所定の長さを持つ当該コロバシ管１１と当該親管１０を必要な本数でそれぞれ選択して組合せる事になる。
本発明に於いては、図１に例示する様に、平行に所定の間隔で配置された当該親管１０の選択された複数個の当該第１の凹陥部１４に当該コロバシ管１１に形成された当該第２の凹陥部１５がそれぞれ嵌合する様に組み立てて、仮組立枠体を形成するものである。
この際、当該親管１０と当該コロバシ管１１との交差点部３５は、そのままでも良いが、適宜の着脱自在の固定手段、例えば、ボルト・ナット等の固定手段を使用して、固定することが望ましい。
【００３５】
その後、当該仮組立枠体上に複数枚の当該底板部１３を、図１及び図４に当該底板部１３の長尺軸を当該親管１０の長尺軸方向と平行になる様に、相互に平行に且つ隣接して配置し、当該底板部１３に予め設けられている開口部５０を利用して当該底板部１３と当該コロバシ管１１との交差点部を適宜の着脱自在に構成された固定手段、例えば、ボルト・ナット等の固定手段を使用して、固定することが望ましい。
但し、本発明に於いては、当該底板部１３は、当該親管１０の上には配列する事が不可能であるので、この部分では、隣接配列は採用していない。
尚、図４に示す様に、当該底板部１３の長尺方向にある一方の端部５３には、隣接する他の吊り足場用パネル１’に設けられている当該他の底板部１３’との接続部を強化、安定化させる為に、適宜の形状、構成を持った底板継ピース５１が設けられており、一方、当該底板部１３の長尺方向にある他方の端部５４には、当該底板継ピース５１を受け入れる凹み部、即ち、底板継ピース受部５２が設けられている事も望ましい具体例である。
【００３６】
その後、上記した通り、当該仮組立枠体に於ける、当該コロバシ管１１の両端部２７’、２８’に当該手摺柱支持部３１を挿入して、所定の部位を着脱式固定手段で固定し、当該手摺柱支持部３１に、所定の手摺柱３２を挿入して直立した手摺支持体を設置した後、当該手摺柱３２に所定の手摺パイプ３３を適宜のクランプ手段を使用して横方向の手摺りを取り付ける。
この段階で、本発明に於ける当該吊り足場用パネル１が完成する。
【００３７】
その後、当該吊り足場用パネル１に於ける当該親管１０の上表面１６に設けられた親管吊ピース１７に適宜の長さと強度を持ったチェーン８の一方の端部を係合させた後、当該チェーン８の他方の端部を、当該吊り足場用パネル１の上方空間部に設けられている適宜の梁、鉄骨、壁面等に配設されている適宜の係止部材（図示せず）に取り付けて、当該吊り足場用パネル１を空中に保持固定させる。
上記した通り、本発明に於ける当該吊り足場用パネル１の構成上の特徴は、当該親管１０の少なくとも一方の長尺方向端部２７には、隣接して連結される他の吊り足場用パネル１’に於ける当該親管１０’の他方の長尺方向端部２８’と嵌合する親さや管２１が着脱自在に或いは固定的に取り付けられているものである。
【００３８】
尚、本発明に於ける当該吊り足場用パネル１に於いては、必要によっては、当該吊り足場用パネル１の幅方向にも拡張する必要性が生じる場合があるので、係る場合には、当該吊り足場用パネル１を複数個、それぞれの当該親管１０の配列方向を相互に平行トなる様に隣接して配列させる必要があるが、その際に、相互に隣接する各吊り足場用パネル１の接合部を安定化させる為に、当該コロバシ管１１の両端部に、隣接する他の吊り足場用パネル１’に於ける当該コロバシ管１１との間で相互に嵌合しうるコロバシさや管６０が設けられる様に、構成する事も可能である。
即ち、当該コロバシ管１１の少なくとも一方の長尺方向端部２７’には、隣接して連結される他の吊り足場用パネル１’に於ける当該コロバシ管１１の他方の長尺方向端部２８’と嵌合するコロバシさや管６０が着脱自在に或いは固定的に取り付けられている事も好ましい具体例である。
【００３９】
一方、本発明に係る当該吊り足場用パネル１に於いては、当該親管吊ピース１７には、更に、当該第１の吊り足場用パネル１上で組み立てられている、当該１つの吊り足場用パネル１に対して隣接配置される第２の吊り足場用パネル１’用の足場基底部２用の仮組立枠体を、当該第２の吊り足場用パネル１’の隣接配置方向にむけて、或いはその反対方向にむけて、移動させる為に適宜の索条体（親チェーン或いはロープ等）１６０が使用されるものであり、当該索条体（親チェーン或いはロープ等）１６０の一端部が係合出来る索条体係合部１７’が併設されている事も望ましい具体例である。
但し、当該索条体係合部１７’は、構成、機能が当該親管吊ピース１７と略同じであるので、当該索条体係合部１７’は、当該親管吊ピース１７に一体的に構成されたものであっても良い。
尚、当該索条体１６０の他方の端部は、当該吊り足場用パネル１の上部空間部に存在する橋脚、梁、鉄骨、壁面等に固定的に設けられている適宜の係止具（図示せず）を介して作業者の作業位置近傍にとどめ置かれ、当該足場基底部２の仮組立枠体の摺動に使用されるものである。
【００４０】
一方、本発明に於ける当該第１の吊り足場用パネル１上には、後述する当該吊り足場用パネル１の施行方法で明らかにしている通り、当該第１の吊り足場用パネル１上で一部が仮組立されている、当該１の吊り足場用パネル１に対して隣接配置される第２の吊り足場用パネル１’の足場基底部２’の仮組立枠体を当該第１の吊り足場用パネル１上で摺動させる為の適宜の構成を有する可動部材が配置されている事も望ましい具体例である。
【００４１】
一方、本発明に於ける別の態様としては、上記した本発明に係る当該第１の態様に記載された複数本の親管１０、複数本のコロバシ管１１、親さや管２１、複数枚の底板部１３、複数本の手摺パイプ３３、複数本の手摺柱３２、複数個の手摺柱支持部３１、複数本の親チェ−ン８を一つの組みとして構成された吊り足場用パネルユニットであり、本発明の吊り足場用パネルユニットは、上記した各部品が一組のセットとなって、市場を流通し、或いはレンタル商品として活用されるものである。
更に、当該本発明に係る当該ユニットには、適宜の構成からなる索条体、ボルト・ナット類、親管補強ＰＬ、コロバシ管補強ＰＬ、底板補強アングル、底板タイＰＬ、底板通し穴パイプ、コロバシ管止ボルト、底板止ボルト、底板継ピースボルト、さや管止ロットピン、直交クランプ、パイプジョイント等が含まれている事が望ましい。
【００４２】
以下に、本発明に係る第２の態様としての当該吊り足場用パネル１の施工方法について、図面７乃至図１８を参照しながら詳細に説明する。
即ち、本発明に於ける第２の態様としての当該吊り足場用パネル１の施行方法の基本的な技術思想としては、個別の当該吊り足場用パネル１の基礎的な部分である、当該親管１０と一部の当該コロバシ管１１とで仮に形成された仮組立枠体２００を当該基礎足場３００、即ち、予め固定的に形成された作業台若しくは、既に形成されている別の吊り足場用パネル１からなる基礎足場３００上で組立てた後に、当該仮組立枠体２００を所定の距離だけ、一時的に若しくは少しずつ段階的に、次の当該吊り足場用パネル１が配置される方向に、当該基礎足場３００の一端部から、当該仮組立枠体２００に於ける当該親管１０の配列方向と平行となる様に、前方に摺動させ、その一部を空間に張り出させる。
【００４３】
この際、上記した様に、当該仮組立枠体２００と当該基礎足場３００との間に適宜の車輪が設けられた板状態からなる摺動手段或いはその他の公知の摺動機能を有する摺動手段を介在させて、当該仮組立枠体２００の摺動操作を容易にする事が出来る。
更に、この操作に於いて、上記した様に、適宜の索条体１６を当該仮組立枠体２００と当該基礎足場３００との間に張設して、当該仮組立枠体２００の摺動操作を調整する事が好ましい。
【００４４】
その後、当該基礎足場３００の一端部から、空間に張り出している当該仮組立枠体２００に於ける当該親管１０の内、当該コロバシ管１１が未だ嵌合せしめられていない当該第１の凹陥部１４の内、当該基礎足場３００の端縁部に最も近い部位にある当該第１の凹陥部１４の先方に位置する当該親管吊ピース１７と当該吊り足場用パネル１の上方に配置されている当該チェーン係合具との間に所定のチェーン８を張設した後、当該第１の凹陥部１４に、未使用の当該コロバシ管１１の一部を嵌合させて固定する。
【００４５】
その後は、上記した操作を繰り返して、当該親管１０の内、当該コロバシ管１１が未だ嵌合せしめられていない当該第１の凹陥部１４の存在が無くなるまで作業が継続される。
【００４６】
その後、当該仮組立枠体２００の両側側面部に、手摺り３３を取り付ける操作を行って、当該施工方法が完了する。
上記の基本的な当該吊り足場用パネルの施行方法の一具体例を、図面を参照しながら詳細に説明するが、本発明に係る当該足場用パネルの施行方法は、以下の方法に限定されるものではない。
【００４７】
即ち、本発明に於ける当該吊り足場用パネル１の施行方法の基本的な技術思想としては、図７に示す様に、先ず、予め準備された適宜の足場３００上、若しくは、本発明に係る、既に組立完了状態にある吊り足場用パネル３００（以下単に「基礎足場」と言う）上に於いて、少なくとも２本の親管１０を、新たに組み立てる吊り足場用パネル１’（以下、隣接吊り足場用パネルという）を延長形成させたい方向Ｐに沿って互いに平行に所定の間隔を開けて配置する（工程１）。
つづいて、当該親管１０の第１の凹陥部１４の一部に、当該親管１０と直交する方向に、１本若しくは複数本のコロバシ管１１を、当該コロバシ管１１の第２の凹陥部１５を相互に嵌合する様に嵌め合わせて、当該隣接吊り足場用パネル１’の足場基底部３００となる仮組立枠体２００を形成する（工程２）。
この場合、当該コロバシ管１１の嵌合部位は、当該親管１０の後端部２８の近傍にある適宜の第１の凹陥部１４が選択される事が望ましい。
【００４８】
次に、図８に示す通り、当該仮組立枠体２００に於ける、当該親管１０の、当該仮組立枠体２００の前進進行方向Ｐ側にある先端部２７（以下親管先端部という）から当該基礎足場３００側に向けて数えて１個目若しくは複数個目の、当該第１の凹陥部１４（１）とそれより当該基礎足場３００側に存在する他の第１の凹陥部１４（０）との間に存在する当該親管１０の表面部１６と当該吊り足場用パネル１の上方空間部に設けられた適宜の係止具４００との間に、当該仮組立枠体２００を後述する様に、空間中に延展させる為に当該仮組立枠体２００を前進させる為の機能を有すると共に当該仮組立枠体の重量を支える為のロープＲ（１６０）を張設する（工程３）。
この場合、ロープＲは、当該係止具４００内を摺動する事が可能になる様に係合させると共に、その他方の端部を作業者が操作し易い当該基礎足場３００の適宜の部位に係合固定させる事が望ましい。
【００４９】
続いて、図９に示す通り、当該仮組立枠体２００を、当該吊り足場用パネル１を新たに延長形成させたい方向Ｐと平行な方向に沿って、所定の距離に亘って、適宜の移動補助手段を使用して、一度に、若しくは段階的に徐々に所定の距離だけ前進させ、少なくとも、当該親管１０の当該ロープＲが取り付けられている部分若しくはその近傍部分が当該基礎足場３００の端縁部３０１から空間に延展される様に移動させる（工程４）。
当該仮組立枠体２００を移動させる手段としては、上記したロープＲ（１６０）を使用して、当該仮組立枠体２００を移動する様に構成したものであっても良く、或は、車輪の付いた板状体の上に当該仮組立枠体２００を搭載して移動する様に構成したものであっても良く、更には従来公知の適宜の移動機構を採用することが可能である。
【００５０】
次に、図１０に示す通り、当該ロープＲが取り付けられている当該親管１０の表面部分１６よりも当該基礎足場３００の端縁部３０１方向側に存在する当該親管１０の当該第１の凹陥部１４の内、当該ロープＲ（１６０）が取り付けられている当該親管１０の表面部分１６に最も接近している当該未使用の第１の凹陥部１４に、未使用の当該コロバシ管１１をその第２の凹陥部１５が当該親管１０の当該第１の凹陥部１４と嵌合する様に配置固定する（工程５）。
【００５１】
その後、図１１に示す通り、当該仮組立枠体２００を、当該吊り足場用パネル１を新たに延長形成させたい方向Ｐに沿って、更に、所定の距離移動させるか、移動させないで、前工程で、当該コロバシ管１１が配置固定されたばかりの当該親管１０の当該第１の凹陥部１４の当該基礎足場３００の端縁部３０１方向側に存在する当該親管１０の別の表面部分１６、と当該吊り足場用パネル１の上方空間部に設けられた適宜の係止具４００との間に第１のチェーンＣ１を張設する（工程６）。
この段階で、当該基礎足場上に存在している当該複数本の親管で、未だ、当該コロバシ管が配置固定されていない、全ての当該第１の凹陥部内に、未使用の当該コロバシ管を嵌合して配置固定する工程７’を実行しても良い。
【００５２】
その後、図１２に示す通り、当該仮組立枠体２００を、当該吊り足場用パネル１を新たに延長形成させたい方向Ｐに沿って、更に、所定の距離移動させるか、移動させないで、当該ロープＲが係合されている当該親管１０に於ける当該表面部１６から当該親管１０の当該先端部２７方向に存在する未使用の当該第１の凹陥部１４の内で、当該ロープＲが係合されている当該親管１０に於ける当該表面部１６に最も接近している当該第１の凹陥部１４内に未使用の当該コロバシ管１１をその第２の凹陥部１５が当該親管１０の当該第１の凹陥部１４と嵌合する様に配置固定する（工程７）。
この段階で、当該ロープＲを取り除き、新たな第２のチェーンＣ２と交換する工程を追加する事が好ましい。
【００５３】
更に、図１３に示す通り、当該仮組立枠体２００を、当該吊り足場用パネル１を新たに延長形成させたい方向Ｐに沿って、更に、所定の距離だけ移動させるか、移動させないで、当該工程７に於いて、当該コロバシ管１１が嵌入されて配置固定された当該第１の凹陥部１４に接続している表面部分１６の内で、当該親管１０の先端２７側部分側に存在している当該親管１０の表面部分１６の内で該コロバシ管１１が嵌入されて配置固定された当該第１の凹陥部１４に最も近接している当該表面部分１６と、当該吊り足場用パネル１の上方空間部に設けられた適宜の係止具４００との間に第３のチェーンＣ３を張設する（工程８）。
【００５４】
その後、図１４に示す通り、当該仮組立枠体２００を、当該吊り足場用パネル１を新たに延長形成させたい方向Ｐに沿って、更に、所定の距離を移動させるか、移動させないで、当該第３のチェーンＣ３が取り付けられている当該親管１０に於ける当該表面部分１６よりも当該親管１０の先端部分２７側に存在する当該第１の凹陥部１４のうちで当該第３のチェーンＣ３に最接近している当該未使用の第１の凹陥部１４内に、未使用の当該コロバシ管１１をその第２の凹陥部１５が当該親管１０の当該第１の凹陥部１４と嵌合する様に配置固定する（工程９）。
【００５５】
続いて、図１５に示す通り、当該工程９に於いて、当該コロバシ管１１が嵌入されて配置固定された当該第１の凹陥部１４に接続している表面部分１６の内で、当該親管１０の先端側部分２７側に存在している当該親管１０の表面部分１６の内で該コロバシ管１１が嵌入されて配置固定された当該第１の凹陥部１４に最も近接している当該表面部分１６と、当該吊り足場用パネル１の上方空間部に設けられた適宜の係止具４００との間に第４のチェーンＣ４を張設する（工程１０）。
【００５６】
その後、図示してはいないが、当該仮組立枠体２００を、当該吊り足場用パネル１を新たに延長形成させたい方向に沿って、更に所定の距離を移動させるか、移動させないで、新たに張設されたチェーンが係合されている当該親管の当該表面部から当該親管１０先端部迄２７の間に当該コロバシ管が嵌入されていない当該未使用の第１の凹陥部の存在が無くなる迄、上記工程９及び工程１０を繰り返す（工程１１）操作が実行され、もし、最後に張設された当該第４のチェーンＣ４の当該親管１０先端部２７側に、当該未使用の第１の凹陥部１４が存在していないと判断される場合には、そこで、新たな吊り足場用パネル１用の仮組立枠体２００の組立操作が完了することになる。
【００５７】
当該工程１０或いは当該工程１１が終了後、図１６に示す通り、当該新たな吊り足場用パネル１’の基礎部分となる当該仮組立枠体２００を吊り下がり状態で移動或いは摺動させて、当該仮組立枠体２００に於ける当該親管１０の当該基礎足場３００側に設けられている開口部２０を、当該基礎足場３００の先端縁部３０１に設けられている、当該親管１０の当該開口部２０に嵌合しうる部材２１’と嵌合させて、適宜の着脱自在の固定手段を介して、その双方を固定処理する（工程１２）。
【００５８】
その後、図１７に示す通り、当該仮組立枠体２００の表面部に、複数枚の長尺状の底板部１３を、当該親管１０の配列方向Ｐと平行となる様に配列搭載し、適宜の固定手段により、当該各底板部１３を当該コロバシ管１１に接合固定すると共に、当該各底板部１３の長尺方向の一端部に設けられた底板継ピース（突起部）５２を当該基礎足場３００の先端縁部３０１に設けられている孔部５５に挿入して固定する（工程１３）。
【００５９】
最後の操作工程では、図１８に示す通り、当該複数個のコロバシ管１１の両端部２７’及び２８’に適宜の手摺柱支持部３１を取り付け、当該手摺柱支持部３１に係合された手摺柱３２を嵌入させ、当該手摺柱３２に少なくとも一本の水平に配置される手摺部３３を適宜のクランプ手段を介して取り付ける（工程１４）。
とから構成されている吊り足場用パネルの施工方法である。
又、本発明に於ける当該吊り足場用パネルを解体する場合には、上記した各工程を逆に実行する様に構成すればよい。
【００６０】
本発明に於ける当該吊り足場用パネルの施行方法では、上記した様に、必要な部品の一部を仮に組み立てた当該仮組立枠体２００を当該足場基底部３００上に形成しておき、当該仮組立枠体２００を徐徐に或いは間歇的若しくは一時的に、当該足場基底部３００の先端縁部から空中に延展させる方法ではなく、予め当該足場基底部３００上で、全ての当該親管１０と全ての当該コロバシ管１１とを組み合わせて当該仮組立枠体２００を形成し、当該当該仮組立枠体２００を適宜の前進機構を使用して、当該空中に延展する様にした方法であっても良い。
但し、後者の方法では、当該仮組立枠体２００の重量が大きくなるので、チェーンの本数は必然的に多くなり、又、当該仮組立枠体２００の前進機構も強固なものとする必要がある。
【符号の説明】
【００６１】
１…吊り足場用パネル
２…足場基底部
３、３’
…辺部
４…手摺部
５…上部空間部
６…橋脚、梁、鉄骨、壁面
７…鎖止部
８…親チェーン
１０…親管
１１…コロバシ管
１２…基板面
１３…底板部
１４…第１の凹陥部
１５…第２の凹陥部
１６…表面部
１７…親管吊ピース
１７’…索条体係合部
１７−１、１７−２…係止孔部
１８…係止部材
２０…端面開口部
２１…親さや管
２１’…開口部に嵌合しうる部材
２３…固定孔部
２５’…閉鎖部材
２７、２８…親管の両方の端部
３０…下部表面部
３１…手摺柱支持部、中空状筒体
３２…手摺柱
３３…手摺
３３’…手摺パイプ
３４…ネジ穴部
３５…交差点部
３６…嵌合孔部
５０…開口部
５１…底板継ピース
５２…底板継ピース（突起部）
５３…端部
５４…端部
６０…コロバシさや管
６５…切欠部
１６０…索条体（親チェーン或いはロープ等）
２００…仮組立枠体
３００…基礎足場、吊り足場用パネル
３０１…基礎足場の端縁部
４００…係止具
【図１】
2015004213.tif 000003
【図２】
2015004213.tif 000004
【図３】
2015004213.tif 000005
【図４】
2015004213.tif 000006
【図５】
2015004213.tif 000007
【図６】
2015004213.tif 000008
【図７】
2015004213.tif 000009
【図８】
2015004213.tif 000010
【図９】
2015004213.tif 000011
【図１０】
2015004213.tif 000012
【図１１】
2015004213.tif 000013
【図１２】
2015004213.tif 000014
【図１３】
2015004213.tif 000015
【図１４】
2015004213.tif 000016
【図１５】
2015004213.tif 000017
【図１６】
2015004213.tif 000018
【図１７】
2015004213.tif 000019
【図１８】
2015004213.tif 000020